Podtech/llm-jp-corpus-v4-ja_patent huggingface dataset:
(57)【要約】      （修正有）【課題】すべての差し込み口を有効に使用でき、電化製品の電源端子までの距離を短く出来る本体分割間隔式ＯＡタップを提供する。【解決手段】１本のテーブルタップの途中に複数の端子挿入口を一定間隔をあけて設けることで、ハブ状に電源線が集中することなく最短距離で簡便に配線できる。【選択図】図１
0003207508.tif 000002
【実用新案登録請求の範囲】
【請求項１】
単一のテーブルタップに要素をまとめてシンプルにすること。
【請求項２】
端子挿入口ををテーブルタップの電線の途中に複数設けること。
【請求項３】
取り付けた端子挿入口と端子挿入口の間に一定の間隔を設けること。
【請求項４】
以上の電力供給線を延長可能にすること。
【考案の詳細な説明】
【技術分野】
【０００１】
この技術は家庭用電化製品への電源供給に関する。
【先行技術文献】
【特許文献】
【０００２】
【特許文献１】特開2015-138691(P2015-138691A)
【考案の概要】
【考案が解決しようとする課題】
【０００３】
家庭で電化製品を使う場合、電源から伸ばした従来のテーブルタップでは、複数の端子挿入口を単一のテーブルタップ筐体に備えているため、並んだ電化製品からテーブルタップを使うとしたら電源コードがハブ状に集中し複雑になり、なおかつＡＣアダプタを複数使うにもアダプタ同士が干渉してしまうという２つの事態が発生する。それを防止して、すべての差し込み口を有効に使用することが出来、また電化製品の電源端子までの距離を短くすることが可能になるテーブルタップを提供する。
【課題を解決するための手段】
【０００４】
以上の解決のための第１発明は、並んだ電化製品に沿わせて単一のテーブルタップを伸ばすことである。
第２発明は、端子挿入口を電化製品の設置間隔にあわせて間隔を置いて複数設けることである。
第３発明は、電力供給線を延長可能なコネクタを末端に設けることである。
【考案の効果】
【０００５】
第１発明の単一のテーブルタップに機能を盛り込むことで全体をシンプルにし、第２発明の間隔を置いて取り付けた端子挿入口から電化製品に給電することで、つなげた電化製品に電力を分配し、第３発明の延長コネクタからさらにテーブルタップを延長することで、テーブルタップからの電源供給網を簡素にする。
【図面の簡単な説明】
【０００６】
【図１】この発明の実施形態を説明する図である。
【図２】従来技術を示す図である。
【考案を実施するための形態】
【０００７】
発明の実施形態を図１に示す。
１はテーブルタップ本体１である。この本体１には電化製品２・３・４・５・６の間隔２A・３A・４A・５Aに合わせて柔軟なテーブルタップ本体1に端子挿入口２B・３B・４B・５B・６Bが取り付けられ、その端子挿入口から電化製品に電力供給子線２C・３C・４C・５C・６Cを接続する。さらに電化製品を追加する場合に備えて延長コネクタ７をもち、そこにテーブルタップ１と同じものを追加することができる。
【実施例】
【０００８】
テーブルタップ本体１に間隔２Ａ、３Ａ、４Ａをおくことで電化製品２には電力取り出し端子挿入口２Ｂ、電化製品３には端子挿入口３Ｂ、電化製品４には端子挿入口４Ｂ、電化製品５には端子挿入口５Ｂ、電化製品６には端子挿入口６Ｂが対応して電力を供給でき、電化製品とコネクタ間の電力供給子線２C・３C・４C・５C・６Cを最短にすることができる。また延長コネクタ７からさらに電力供給線本体１と同じものを追加延長することでさらに多数の電化製品にハブ状に分岐することなくシンプルに給電できる。
【産業上の利用可能性】
【０００９】
電化製品のほかでも、同じように途中に設置した複数の端子挿入口と端子挿入口の間に一定間隔をおく電力供給線を応用し、家庭用電化製品のほかの電源でも配線を最小にして簡素にすることができる。
【符号の説明】
【００１０】
１  テーブルタップ本体
2  家庭用電化製品
2A家庭用電化製品2と3の間の間隔
2Ｂ端子挿入口
2Ｃ電力供給子線
３  家庭用電化製品
３A家庭用電化製品３と４の間の間隔
３Ｂ端子挿入口
３Ｃ電力供給子線
4  家庭用電化製品
4A家庭用電化製品4と5の間の間隔
4Ｂ端子挿入口
4Ｃ電力供給子線
5  家庭用電化製品
5A家庭用電化製品5と6の間の間隔
5Ｂ端子挿入口
5Ｃ電力供給子線
6  家庭用電化製品
6Ｂ端子挿入口
6Ｃ電力供給子線
７  延長コネクタ
【図１】
0003207508.tif 000003
【図２】
0003207508.tif 000004
【手続補正書】
【提出日】平成28年9月7日(2016.9.7)
【手続補正１】
【補正対象書類名】実用新案登録請求の範囲
【補正対象項目名】全文
【補正方法】変更
【補正の内容】
【実用新案登録請求の範囲】
【請求項１】
端子挿入口をテーブルタップの電線の途中に複数設けて、
端子挿入口と端子挿入口の間に間隔を設けて、
単一のテーブルタップに要素をまとめたことを特徴とする、本体分割間隔式ＯＡタップ。
【請求項２】
電力供給線を延長可能にしたことを特徴とする、請求項1に記載の本体分割間隔式ＯＡタップ。
(57)【要約】      （修正有）【課題】持ち運び易く、容易に専用タバコの収納及び取り出しを可能にする加熱式タバコ収納室付き携帯チャージャーケースを提供する。【解決手段】タバコ装着用スティックホルダー３を備えた携帯チャージャー２と専用タバコ収納室を設けた本体ケース１を一つにまとめる。タバコ収納室の蓋を、外周滑り止め付き円盤状とし、タバコ収納室の大きさの穴を付与し中心をビスで留めることで、蓋を回転させて、タバコ収納室から専用タバコ４を容易に取り出すことができる。また、携帯チャージャー２の充電残量表示インジケーターが見えるようにインジケーター視認窓とロゴマーク視認窓を設ける。さらに、直接外部充電を出来るよう充電ジャック用窓も設ける。【選択図】図１
0003207506.tif 000002
【実用新案登録請求の範囲】
【請求項１】
加熱式タバコのホルダーを充電し、保護、保管の為の携帯チャージャーの収納室と専用タバコの収納室とを備えたところを特徴とする加熱式タバコ収納室付き携帯チャージャーケース。
【請求項２】
前記専用タバコの収納室は指にて回転可能な穴あき円盤を蓋に備え複数の専用タバコを収納及び取り出しするところを特徴とする加熱式タバコ収納室付き携帯チャージャーケース。
【考案の詳細な説明】
【技術分野】
【０００１】  本考案は、加熱式タバコ携帯チャージャーケースにタバコ収納ケースを設け容易に専用タバコを取り出せる、タバコに関するものである。
【背景技術】
【０００２】  加熱式タバコを喫する場合、専用タバコとタバコを喫するための器具であるホルダーを別々に持つ必要があり又タバコを箱から取り出しにくい。
【考案の概要】
【考案が解決しようとする課題】
【０００３】  加熱式タバコを喫する器具は携帯電話と同等の大きさ重さがあり、加熱式タバコと器具を同時に持つにはバッグ等に収納する必要があり、従来のタバコの様にライター等を同じポケットに保管するには違和感があり、前述の欠点を解決しようとするものである。
【課題を解決するための手段】
【０００４】（１）  本考案の加熱式タバコ収納室付き携帯チャージャーケースは加熱式タバコのホルダーを充電し、保護、保管の為の携帯チャージャーの収納室と専用タバコの収納室とをそなえたところを特徴にする。
（２）  また専用タバコの収納室は指にて回転可能な穴あき円盤を蓋に備え複数の専用タバコを収納及び取り出しするところを特徴にする。
【考案の効果】
【０００５】  本考案の加熱式タバコ収納室付き携帯チャージャーケースは加熱式タバコのホルダーを充電、保護、保管の為の携帯チャージャーの収納室と専用タバコの収納室とを備えたところを特徴とし、また専用タバコの収納室は指にて回転可能な穴あき円盤を蓋に備え複数の専用タバコを収納及び取り出すところを特徴とする。
上記の様に、本考案の加熱式タバコ収納室付き携帯チャージャーケースは専用タバコの箱と携帯チャージャーを一つにまとめたことにより、持運び易くなり回転式蓋を設けることによりタバコが取り出し易く尚且つどちらか一方の置き忘れ防止に役立つ。
【図面の簡単な説明】
【０００６】
【図１】本考案の加熱式タバコ収納室付き携帯チャージャーケースの一実施例を示す全体図である。
【図２】加熱式ホルダーと専用タバコを示す図である。
【図３】加熱式タバコ収納室付き携帯チャージャーケースの詳細図である。
【図４】専用タバコ収納室蓋の詳細図である。
【図５】加熱式タバコ収納室付き携帯チャージャーケースの底面図である。
【考案を実施するための形態】
【０００７】本考案の加熱式タバコ収納室付き携帯チャージャーケース１にはタバコ装着用スティックホルダー３が収納された携帯チャージャー２を装備し、携帯チャージャー２には蓋開閉のための押しボタン及び充電残量インジケーター等５が備えられ常時確認出来るよう同一側面に窓を設け或いは透明素材仕様にすることで視認できさらに携帯チャージャー２のロゴマークを視認できるロゴマーク視認窓６を設け又タバコ収納室７は複数箇所設けそれぞれに複数の専用タバコ４を収納できる。請求項１により、図１に示す如く、専用タバコ装着用スティックホルダー３が収納された携帯チャージャー２を加熱式タバコ収納室付き携帯チャージャーケース１に上から挿入装着し携帯チャージャー２と専用タバコ４とを備えたところを特徴とした加熱式タバコ収納室付き携帯チャージャーケース１として一つにまとめることが可能となる。請求工２により、図４に示す如く、蓋８は一部穴１０の開いた円盤９の中心をビス１２で回転可能に止め円盤９の外周に複数の凸凹１１を付与し回転させやすく一本ずつ取り出すことが可能である。更に加熱式タバコ収納室付き携帯チャージャー１の底面部には、携帯チャージャー２が必要とする外部電源から電力を取り入れる為の、ジャック端子用窓１３を設け必要電力をいつでも加熱式タバコ収納室付き携帯チャージャーケース１から携帯チャージャー２を取り出すことなく外部電源からの充電機能を有す。
【符号の説明】
【０００８】  ［図１］
１    加熱式タバコ収納室付き携帯チャージャーケース
２    携帯チャージャー
３    タバコ装着用スティックホルダー
４    専用タバコ
５    インジケーター視認窓
６    ロゴマーク視認窓
７    タバコ収納室
８    蓋
９    円盤
１０    タバコ脱着用穴
１１    凸凹突起
１２    ビス
１３    充電ジャック端子用窓
【図１】
0003207506.tif 000003
【図２】
0003207506.tif 000004
【図３】
0003207506.tif 000005
【図４】
0003207506.tif 000006
【図５】
0003207506.tif 000007
【手続補正書】
【提出日】平成28年8月23日(2016.8.23)
【手続補正１】
【補正対象書類名】実用新案登録請求の範囲
【補正対象項目名】請求項２
【補正方法】変更
【補正の内容】
【請求項２】
前記専用タバコの収納室は指にて回転可能な穴あき円盤を蓋に備え複数の専用タバコを収納及び取り出しするところを特徴とする、請求項１記載の加熱式タバコ収納室付き携帯チャージャーケース。
(57)【要約】      （修正有）【課題】ドラム本体のテンションボルトに取り付けすることで、ドラム本体のフープ形状に依存せず、ドラム演奏者の身近に容易に設置できるドラムを演奏する際に使用するスティック、マレット、ブラシ等の用具を置くトレイを提供する。【解決手段】ドラムを演奏する際に使用するスティック、マレット、ブラシ等の用具を置くトレイにおいて、当該トレイはトレイ本体部１とトレイ本体部１に対して着脱可能に取り付けられたステー部２とからなり、ステー部２はドラム本体のテンションボルト３に引っかけるためのフック部とテンションボルト３にフック部が引っかかった状態でそれを支持する切り欠き部とを有する。これにより、テンションボルト３を緩めず容易にドラム本体のフープ形状に依存せずドラム演奏者の身近に設置できる。【選択図】図１
0003207510.tif 000002
【実用新案登録請求の範囲】
【請求項１】
ドラムを演奏する際に使用するスティック、マレット、ブラシ等の用具を置くトレイにおいて、着脱可能なステー部によりドラム本体のテンションボルトにテンションボルトを緩めず取り付けできることを特徴とするトレイ。
【考案の詳細な説明】
【技術分野】
【０００１】
本考案は、ドラムを演奏する際に使用するスティック、マレット、ブラシ等の用具を置くトレイに関するものである。
【背景技術】
【０００２】
従来のドラムを演奏する際に使用するスティック、マレット、ブラシ等の用具の置き台としては、金属製のスタンドにネジ等で取り付けるタイプのものがある（非特許文献１）。
また、ドラム本体のフープに挟んで取り付けるタイプのものもある（非特許文献２）。
【０００３】
しかし、従来の金属製のスタンドに取り付けるドラム演奏用具の置き台（非特許文献１）は、組み立てやその調節に時間がかかり、かつ重く大きいために持ち運びが容易にできないという欠点があった。
また、狭いステージ上ではスタンド三脚部分の設置スペースが確保できず、ドラム演奏者の身近に設置できないこともあり、ドラムの演奏用具を持ち替える際に不便という欠点があった。
【０００４】
この問題点を改善したドラム本体のフープに挟んで取り付けるタイプのもの（非特許文献２）は、組み立てやその調節に時間がかからず持ち運びが容易ではあるが、取り付けに際してドラム本体のフープの形状に依存するという欠点があった。
【先行技術文献】
【非特許文献】
【０００５】
【非特許文献１】「Pearl Drums 2015 Vol.2カタログ」 パール楽器製造株式会社, ２０１５年, p.５７
【非特許文献２】実用新案登録第３２０００１３号
【考案の概要】
【考案が解決しようとする課題】
【０００６】
解決しようとする問題点は、従来のドラム本体のフープに取り付けるドラム演奏用具の置き台では、取り付けに際しフープの形状に依存し、特殊な形状のフープには取り付けることができない点である。
【課題を解決するための手段】
【０００７】
上述した課題を解決するために、本考案は、ドラム本体のテンションボルトにテンションボルトを緩めず容易に取り付けできることを主要な特徴とする。
【考案の効果】
【０００８】
本考案によれば、取り付けに際してドラム本体のフープの形状に依存せず、かつ組み立てやその調節に時間がかからず持ち運びが容易であり、ドラム演奏者の身近に容易に設置できるため、ドラムの演奏用具を持ち替える際の不便さが解消される。
【図面の簡単な説明】
【０００９】
【図１】本考案の実施形態を示す斜視図である。
【図２】図１のトレイ本体部を示す斜視図である。
【図３】図１のトレイ本体部とステー部の平面図及び、その接合を示す図である。
【図４】図１のステー部を示す斜視図及び、図１のステー部と図１のテンションボルトの接合を示す図である。
【考案を実施するための形態】
【００１０】
ドラム本体のフープの形状に依存せず、トレイをドラム演奏者の身近に容易に設置するという目的を、軽量で耐久性に優れたＡＢＳ樹脂の部材を用いて、最小の部品点数で実現した。
【実施例】
【００１１】
図１は、本考案の実施形態を示す斜視図であって、トレイ本体部１がステー部２と接合し、ドラム本体のテンションボルト３に取り付けれた状態を示す図である。
【００１２】
図２は、図１のトレイ本体部１を示す斜視図である。トレイ本体部１は、短辺４ａ、４ｂに側壁を設けないことで、コンパクトなサイズでありながら、ドラムの演奏用具の長さについて制限が少ない形状になっている。
本実施形態では、長辺を外寸２４０mm、短辺を外寸１２０mm、高さを外寸１５mm、厚みをそれぞれ３mmとし、部材には軽量で耐久性に優れたＡＢＳ樹脂を用いている。
【００１３】
図３（A）は、図１のトレイ本体部１とステー部２の平面を示す図である。トレイ本体部１の接合穴８にステー部２の突起部７を挿入する構成となっている。
図３（B）は、図１のトレイ本体部１とステー部２の底面斜視図である。ステー部２の突起部７の先端は両方向に突き出たツメ形状となっている。ステー部２の突起部７は先端部を除けば円柱形状となっており、トレイ本体部１の接合穴８に矢印の方向で挿入後は水平方向に３６０度回転可能な状態となり、挿入した状態から０度及び１８０度以外にある時は外れない構造となっている。
【００１４】
図４（A）は、図１のステー部２を示す斜視図である。ステー部２は、部材に軽量で耐久性に優れたＡＢＳ樹脂を用いている。ステー部２のフック部５がテンションボルト３に引っかかり、ステー部２の切り欠き部６がそれを支持する形状となっており、テンションボルトの太さについては６mmまでのものに取り付け可能とした。
図４（B）は、図１のステー部２と図１のテンションボルト３の接合する状態を示している。ステー部２を２個それぞれ２ケ所のテンションボルト３に取り付けてトレイ部１を支持する構成である。
【産業上の利用可能性】
【００１５】
本考案は、ドラムの演奏に係わる分野で利用できる。
【符号の説明】
【００１６】
１    トレイ本体部
２    ステー部
３    テンションボルト
４ａ   トレイ短辺
４ｂ   トレイ短辺
５    ステー部のフック部
６    ステー部の切り欠き部
７    ステー部の突起部
８    トレイの接合穴
【図１】
0003207510.tif 000003
【図２】
0003207510.tif 000004
【図３】
0003207510.tif 000005
【図４】
0003207510.tif 000006
【手続補正書】
【提出日】平成28年9月9日(2016.9.9)
【手続補正１】
【補正対象書類名】実用新案登録請求の範囲
【補正対象項目名】請求項１
【補正方法】変更
【補正の内容】
【請求項１】
ドラムを演奏する際に使用するスティック、マレット、ブラシ等の用具を置くトレイにおいて、当該トレイはトレイ本体部とトレイ本体部に対して着脱可能に取り付けられたステー部とからなり、前記ステー部はドラム本体のテンションボルトに引っかけるためのフック部とテンションボルトにフック部が引っかかった状態でそれを支持する切り欠き部とを有することを特徴とするトレイ。
(57)【要約】      （修正有）【課題】外に持ち運ぶことができ、業務編集や本格的な仕事に対応できる首掛け画板を提供する。【解決手段】画板の本体に下部の衣類に密着する所に滑り止め３を設け、画板本体の上部の角側面にリング２及び穴１０を２箇所設け、紐、ベルト、布等で吊るし、タブレットＰＣ等が置けるようにし、画板本体の下部に本の差込溝６を設けた。【選択図】図１
0003205301.tif 000002
【実用新案登録請求の範囲】
【請求項１】
画板の本体に下部の衣類に密着する所に滑り止めを設け、画板本体の上部の角側面にリング及び穴を２箇所設け紐、ベルト、布等で吊るしタブレットＰＣ等が置けるようにし、画板本体の下部に本の差込溝を設けた首掛け画板である
【考案の詳細な説明】
【技術分野】
【０００１】  本考案は、本体上部の隅に穴、又はリングを設けて画板を吊るしタブレットＰＣが落ちないように下部に滑り止め首掛け台及び読書便利画板である。
【背景技術】
【０００２】  画板のようなタブレットＰＣを置く台、本を読むスタンドなど、さまざまなものが存在しているが、業務編集や本格的な仕事の時、外に持ち運び野外での、操作が不便で外で持ち歩く用途が少ない。
【考案の概要】
【考案が解決しようとする課題】
【０００３】  従来から販売されている画板等々では、業務編集や本格的な仕事の時、操作が不便なので外で持ち歩くことは少なかった、またどこにでも簡単に持ち運びが出来ないので、事務的にメモなど立ったままの姿勢でタブレットＰＣ操作に不便があり、さらに野外での読書も長時間読むと疲れる欠点があった
【課題を解決するための手段】
【０００４】  上記のような書見台及び読書便利画板であれば、外で持ち歩く用途が多くなり、業務編集や本格的な仕事の時、作業状況に、対応できる、データーや商品管理入力など手軽に作業ができ、問題点を解決できる。
【考案の効果】
【０００５】  書見台及び読書便利画板は、合板、プラスチック素材、樹脂、ポリプロピレンで製作、書見台及び読書便利画板を使用すれば、従来の課題である室内外に持ち運びすることが少なかったが、紐、ベルト、普通の布等にフックを取り付けて吊り下げ、首に掛けて多様な作業にも対応できるタブレットＰＣの操作も楽しく、鉛筆ホルダー付き読書も楽しくなる、普段は、本立てスタンドとして使用ができ上記の問題点を解消することが出来る
【図面の簡単な説明】
【０００６】
【図１】本考案を示す正面図である
【図２】本考案の断面図である
【図３】本考案の斜めからの斜視図である
【図４】本考案に使われる首掛け紐の図である
【考案を実施するための形態】
【０００７】  ［図１］３下部に当たる部分はアーチ型に型どって、合成樹脂のゴム滑り止めを使用しているので、衣類に密着して落ちことがない。
【０００８】  ［図１］２、１０四つ角にフック掛け用リングと穴を、設けているのでフックを用いて、ストラップ、ひも、ベルト、布などを通して首からつり下げて使用する、［図１］１２両サイドに鉛筆を挟むはさみを取り付けているのでマーカー、鉛筆を挟んでおけばメモやチェックができる。
【０００９】  ［図２］８厚さ３ｃｍの本まで差込可能［図１］５側面両サイドに巾３ｍｍ長さ１０ｃｍの溝を施しているのでゴムを通すと本を止めるストッバの、役割も兼ねている［図１］４巾１ｃｍ、長さ２０ｃｍの溝を施しているので小さな必要物を吊る事もである。
【０００１０】  ［図１］１１下部の滑り止めの上部少し上に穴を２箇所設けて２つの穴に紐、ベルト、布等を腰から廻して前でむすぶと二重に滑り落ちる事を防ぐことができる
【符号の説明】
【０００１２】１    合板
２    リング
３    滑り止めゴム
４    溝
５    溝
６    差込溝
７    滑り止めゴム
８    差込溝
９    ストッパー
１０  穴
１１  穴
１２  鉛筆差し
１３  紐
１４  フック
【図１】
0003205301.tif 000003
【図２】
0003205301.tif 000004
【図３】
0003205301.tif 000005
【図４】
0003205301.tif 000006
(57)【要約】【課題】本考案は、装飾物に微細な突出部があっても、細かい突出部等が他のものに触れて損傷したり、髪や皮膚を傷付けたりし難く、扱い易く、豊かな装飾性を有する髪装飾体に関するものである。【解決手段】本考案は、髪への取付け要素１に装飾体２を装着したものであって、その装飾体２を透明体３内に装飾物４を封入して構成したことにより、装飾体２に細かい突出部等があっても、その微細な立体部分が透明体３に保護されるものであって、所期の目的を達成することができた。【選択図】図１
0003205373.tif 000002
【実用新案登録請求の範囲】
【請求項１】
髪への取付け要素１に装飾体２を装着したものであって、その装飾体２は透明体３内に装飾物４を封入して構成したことを特徴とする髪装飾体。
【請求項２】
透明体３がガラス玉である請求項１に記載の髪装飾体。
【請求項３】
装飾物４が造花である請求項１又は２に記載の髪装飾体。
【考案の詳細な説明】
【技術分野】
【０００１】
本考案は、立体感に富み、装飾性が十分にあるばあいでも、細かい突出部等が他のものに触れて損傷したり、髪や皮膚を傷付けたりし難く、取扱い易い髪装飾体に関するものである。
【背景技術】
【０００２】
かんざしなどの髪装飾体は一般に女性の髪飾りとして古くから種々デザインのものが提供されているもので、例えば棒状体の先端に装飾体を装着したものであるが、装飾体はその性格上、華やかさが求められるものであり、一般に細かい細工が入組み、その微細な細工の先端が衣服や髪に絡みつきやすく、取り扱いに細心の注意をしなければ、髪や頭皮、衣服を傷めたり、装飾体を損傷したりしやすい欠点があった（特許文献１参照）。
【特許文献１】実開平６−７５３０２号公報
【考案の開示】
【考案が解決しようとする課題】
【０００３】
本考案は、豊かな装飾性を有しながら、装飾物が髪や衣服等に引っ掛かり難く、取り扱いが容易に行える髪装飾体を提供しようとするものである。
【課題を解決するための手段】
【０００４】
本考案の主たる特徴は、髪への取付け要素１に装飾体２を装着したものであって、その装飾体２を透明体３内に装飾物４を封入して構成したことであり、第２には透明体３をガラス玉としたことであり、更に第３には、装飾物４を造花としたことである。
【考案の効果】
【０００５】
本考案にあっては上述のようにしたから、装飾物４は任意の立体装飾性を有するものが採用できて、豊かな装飾性を発揮することができ、その装飾物４は透明体３に封入されているため、装飾物４自体に突出部等の引っ掛かり易い要素を含んでいても、外部に突出せず、衣服や頭皮を傷つけたり、髪に絡みついたりする惧れがなく、また装飾物４も透明体３で保護されてそれ自体、繊細なものであっても、損傷する惧れが少なく、取り扱いが容易となる利点がある。
【０００６】
そして、透明体３がガラス玉、殊に強化ガラス玉であれば、表面が傷付きにくく、耐久性が向上し、装飾物４を造花とすれば、季節に応じた種々の花を封入することにより、季節感を豊かに表現することができる。
【考案を実施するための最良の形態】
【０００７】
図１は本考案の一実施例の概略を示すもので、金属、プラスチック、竹や木等の適宜素材の棒状の髪への取付け要素１の一端に鎖部５や紐等により装飾体２を揺動可能に装着したもので、装飾体２はドライフラワーや造花、生花、小動物や彫金や布、その他任意の素材のオブジェ等、任意の装飾物４を透明樹脂や強化ガラス等の透明体３に封入したものである。
【０００８】
図２は他の実施例を示すもので、髪への取付け要素である棒状体１の一端に装飾体２を直接装着したものである。
【０００９】
また、透明体３は球が一般的であるが、扁平曲面体や、直面で囲まれた多面体であっても構わない。また、無色透明の他、着色透明であっても良い。また、透明体３を外皮とし、空気のような気体、或いは水やアルコール等の透明液体を注入し、その中に装飾物４を封入しても良い。
【産業上の利用可能性】
【００１０】
本考案は、髪への取付け要素１を棒状体としてかんざしとするほか、クリップのような挟み具を髪への取付け要素１として、髪飾りやその他の装飾品とすることもできる。その場合も、かんざしと同様、装飾物４自体に凹凸があっても、透明体３に封入されるので、表面に光沢があり、しかも内部の豊かな装飾が安全かつ容易に取扱いができるものである。
【図面の簡単な説明】
【００１１】
【図１】本考案の一実施例の概略斜視図。
【図２】同上の他の実施例の概略斜視図。
【図３】同上の装飾体の一部省略した拡大断面図。
【符号の説明】
【００１２】
１は髪への取付け要素、２は装飾体、３は透明体、４は装飾物。
【図１】
0003205373.tif 000003
【図２】
0003205373.tif 000004
【図３】
0003205373.tif 000005
(57)【要約】      （修正有）【課題】犬等のペットの散歩等における排泄物処理に関し、ポケットなどに入れて簡単に持ち運ぶことができる器具を用いて、簡単かつ確実に、また感触的に衛生的な方法で排泄物を回収するペット用排泄物回収具を提供する。【解決手段】ペット用排泄物回収具１０は、開閉可能な容器となっており、上面部１１、上面部１１に固定された上面指挿入部１２、下面部１３、下面部１３に固定された下面指挿入部１４、及び側面部１５を有している。ペット用排泄物回収具１０は普段は開いた状態となっているが、下面指挿入部１４に親指を挿入し、上面指挿入部１２に親指以外の指を挿入し、指に力を加えることにより閉じることができ、力を抜くと開くことができるようになっている。【選択図】図１
0003205380.tif 000002
【実用新案登録請求の範囲】
【請求項１】
袋を介して排泄物を収納する開閉可能な収容器であって、前記収容器の上面部と下面部にそれぞれ指挿入部を有し、前記指挿入部に指を挿入し操作することによって、片手で前期収容記を開閉することを可能とすることを特徴とするペット用排泄物回収具。
【考案の詳細な説明】
【技術分野】
【０００１】
本考案は、路上や公園等で犬等のペットが排泄した排泄物を回収する為のペット用排泄物回収器具に関する。
【背景技術】
【０００２】
犬等のペットを散歩させていた時に排泄した排泄物に関しては、飼い主が回収する責任を負っているが、従来ペットの排泄物を回収する際には、ビニル袋等により直接排泄物を掴んで袋を裏返して回収する方法、スコップ、塵取り、その他の回収器具等を携帯し、回収器具により排泄物を回収する方法等が一般的であった。
【０００３】
従来のビニル袋により直接回収する方法では、排泄物を掴む際に排泄物の感触が手に伝わり感覚的に非衛生であり、またスコップ等の回収器具により回収する方法では、回収器具の持ち運びに手間がかかるという問題があった。このような問題を解決するためには、ポケットなどに入れて簡単に持ち運ぶことができる器具により、また排泄物の感触を直接感じない方法で回収できる方法が望ましい。そのような器具としては、特開２００７−１５９５１３号公報記載のペット用排泄物回収具がある。
【０００４】
この特開２００７−１５９５１３号公報記載のものは、「袋の内部に入れ込んだ状態で袋を介してペットの排泄物をつかみ取るペット用排泄物回収具であって、薄板を側面視略くの字形状に形成してなる」ペット用排泄物回収具であり、袋の内部に入れ込んだ状態で袋を介してペットの排泄物をつかみ取る方式の回収具である。
【先行技術文献】
【特許文献】
【０００５】
【特許文献１】特開２００７−１５９５１３号公報
【考案の概要】
【考案が解決しようとする課題】
【０００６】
しかしながら、特許文献１のペット用排泄物回収具では、略くの字形状の板の片面に親指、他の面にその他の指を置き器具を閉じる方式であり、指の置き方によっては力がうまく器具に伝わらず開閉操作がしずらい、という問題がある。また、器具を閉じても側面は開いている状態であるので、排泄物が側面からこぼれてしまう可能性がある、という問題があった。 
【０００７】
本考案は、上記課題に鑑みてなされたものであり、ポケット等に入れて簡単に持ち運びができる回収具を用いて、簡単かつ確実に、また感触的に衛生的な方法で排泄物を回収する方法を提供することを目的とする。
【課題を解決するための手段】
【０００８】
本考案は上記課題を解決するため、袋を介して排泄物を収納する開閉可能な収容器であって、前記収容器の上面部と下面部に開閉操作用の指挿入部を有している。
【考案の効果】
【０００９】
本考案は、袋と指の間に収容器を介して排泄物を回収する方式であるため直接排泄物の感触を感じないで排泄物を回収でき、また指を指挿入部に挿入して操作するため、安定して簡単な開閉操作が可能であり、また排泄物を容器内に閉じ込めた形式でつかみとることができるために、排泄物が側面からこぼれることもなく、確実に排泄物を回収することができる、という効果がある。
【図面の簡単な説明】
【００１０】
【図１】本考案の実施の形態に係るペット用排泄物回収具の概略斜視図
【図２】本考案の実施の形態に係るペット用排泄物回収具の排泄物回収前の状態図
【図３】本考案の実施の形態に係るペット用排泄物回収具の排泄物回収時の状態図
【図４】排泄物が袋内部に取り込まれた状態図
【考案を実施するための形態】
【００１１】
以下、添付図面を参照して本考案のペット用排泄物回収具の実施の形態について説明する。
図１は本考案の実施の形態に係るペット用排泄物回収具の概略的斜視図、図２は本考案の実施の携帯に係るペット用排泄物回収具の排泄物回収前の状態図、図３は本考案の実施の形態に係るペット用排泄物回収具の排泄物回収時の状態図、図４は排泄物が袋内部に取り込まれた状態図物である。 
【００１２】
図１に示すように、ペット用排泄物回収具１０は、開閉可能な容器となっており、上面部１１、上面部１１に固定された上面指挿入部１2、下面部１3、下面部１3に固定された下面指挿入部１4、及び側面部１5を有している。
【００１３】
ペット用排泄物回収具１０は普段は開いた状態となっているが、下面指挿入部１４に親指を挿入し、上面指挿入部１２に親指以外の指を挿入し、指に力を加えることにより閉じることができ、力を抜くと開くことができるようになっている。
【００１４】
ペット用排泄物回収具１０の使用方法を、図２、図３、図４を参照して説明する。
排泄物３０を回収する際は、下面指挿入部１３に親指を挿入し、上面指挿入部１２に親指以外を挿入し、ペット用排泄物回収具１０を袋２０のに被せる（図２参照）。
ここで袋２０は買い物用のビニール袋等を想定しているが、専用の回収袋であっても良い。
【００１５】
排泄物３０に袋２０を介してペット用排泄物回収具１０を被せ、指に力を入れペット用排泄物回収具１０を閉じることにより、排泄物３０を掴み取ることができる（図３参照）。ここで側面部１５があるため排泄物３０は側面からこぼれることがない。
上記の一連の操作により、排泄物３０は袋２０内部に回収される（図４参照）。
【００１６】
以上説明した本考案のペット用排泄物回収具は、上記の実施携帯のみの構成に限定されるものではなく、実用新案登録請求の範囲に記載した本考案の本質を逸脱しない範囲において、任意の改変を行ってよい。また、ペット用排泄物回収具の大きさに関しては、片手で開閉操作できる範囲の大きさであれば任意の大きさであって良い。
【符号の説明】
【００１７】
１０ ペット用排泄物回収具
１１ 上面部
１２ 上面指挿入部
１３ 下面部
１４ 下面指挿入部
１５ 側面部
２０ 袋 
３０ 排泄物
【図１】
0003205380.tif 000003
【図２】
0003205380.tif 000004
【図３】
0003205380.tif 000005
【図４】
0003205380.tif 000006
(57)【要約】【課題】コンクリートスラブ構築おけるパーマネント工法にて、通常２〜４ｍの長さの大引材を、分割式にすることで支柱を設置したまま、取り外すことにより、パーマネント用支柱設置省略を可能とする支柱上部支持体を提供する。【解決手段】支柱上の部分と支柱間の部分に分割できる型枠支保工の上部に取付ける連結式アルミ大引の支柱上部支持体４であって、両側面に連結棒２が収まる溝を有しており、着脱自在な前記大引材の支柱間部分の端部に連結棒で連結する。上記の支柱上部支持体は、上面が長く、下面が短い形状とし両端の斜め形状の切り口角度が、支柱間部支持体３の切り口角度と相対する角度とする。【選択図】図１
0003205340.tif 000002
【実用新案登録請求の範囲】
【請求項１】
支柱上の部分と支柱間の部分に分割できる型枠支保工の上部に取付ける連結式アルミ大引の支柱上部支持体であって、両側面に連結棒が収まる溝を有しており、着脱自在な前記大引材の支柱間部分の端部に連結棒で連結できることを特徴とした連結式アルミ大引の支柱上部支持体。
【請求項２】
上面が長く、下面が短い形状とし両端の斜め形状の切り口角度が、支柱間部支持体の切り口角度と相対する角度になっていることを特徴とする請求項１記載の連結式アルミ大引の支柱上部支持体。
【考案の詳細な説明】
【技術分野】
【０００１】
本考案は、連結式アルミ大引の支柱上部支持体に関する。
【考案の概要】
【考案が解決しようとする課題】
【０００２】
本考案の解決しようとする課題は、コンクリートスラブ構築おけるパーマネント工法にて、通常２〜４ｍの長さの大引材を、分割式にすることで支柱を設置したまま、取り外すことにより、パーマネント用支柱設置省略を可能とする連結式アルミ大引の支柱上部支持体を提供することにある。
【課題を解決するための手段】
【０００３】
上記課題を解決するため請求項１記載の連結式アルミ大引の支柱上部支持体は、支柱上の部分と支柱間の部分に分割できる型枠支保工の上部に取付ける連結式アルミ大引の支柱上部支持体であって、両側面に連結棒が収まる溝を有しており、着脱自在な前記大引材の支柱間部分の端部に連結棒で連結できることを特徴とする手段とした。
【０００４】
また、請求項２記載の連結式アルミ大引の支柱上部支持体は、請求項１記載の連結式アルミ大引の支柱上部支持体において、上面が長く、下面が短い形状とし両端の斜め形状の切り口角度が、支柱間部支持体の切り口角度と相対する角度になっていることを特徴とする手段とした。
【考案の効果】
【０００５】
本発明の金属製コンクリート型枠パネルでは、コンクリートスラブ構築おけるパーマネント工法にて、通常２〜４ｍの長さの大引材を、分割式にすることで支柱を設置したまま、取り外すことにより、パーマネント用支柱設置省略を可能とする。
また、支柱上部分と支柱間部分の構成からなり、それぞれの接する面は斜めに切断した形状で、棒状の部材とピン・楔を用いて連結と取り外しを容易にできる。
【図面の簡単な説明】
【０００６】
【図１】本考案の使用状態を示す側面図である。
【図２】本考案の使用状態を示す平面図である。
【図３】本考案の一実施例を示す斜視図である。
【図４】本考案の一実施例を示す側面図である。
【図５】本考案の一実施例を示す正面図である。
【０００７】
以下にこの考案の実施例を説明する。
【実施例１】
【０００８】
この実施例１の連結式アルミ大引の支柱上部支持体は、支柱上の部分と支柱間の部分に分割できる型枠支保工の上部に取付ける連結式アルミ大引の支柱上部支持体４であって、両側面に連結棒２が収まる溝を有しており、着脱自在な前記大引材の支柱間部分の端部に連結棒２で連結できるようになっている。
【０００９】
また、連結式アルミ大引の支柱上部支持体は、上面が長く、下面が短い形状とし両端の斜め形状の切り口角度が、支柱間部支持体３の切り口角度と相対する角度になっている。
【００１０】
また、連結式アルミ大引の支柱上部支持体は、アルミニウム製にすることで、従来の鋼管製の大引材と比較して、軽量化を著しく図ることができ、作業性が極めて良好で、且つ運搬や保管にも便利である。
【符号の説明】
【００１１】
１  支保工支柱
２  連結棒
３  支柱間部支持体
４  支柱上部支持体
５  連結ピン
６  天板
７  上鍔片
８  上側板
９  ピン挿通孔
１０  中鍔片
１１  下側板
１２  下鍔片
１３  補強板
１４  支柱差込み管
【図１】
0003205340.tif 000003
【図２】
0003205340.tif 000004
【図３】
0003205340.tif 000005
【図４】
0003205340.tif 000006
【図５】
0003205340.tif 000007
(57)【要約】      （修正有）【課題】接続作業を簡略し、ワンタッチで、差し込み、引き抜きを可能にした防塵、抜け防止構造を備えるコンセントの接続構造を提供する。【解決手段】コンセントの接続構造は、雄端子の周囲を覆うコンセントカバー４を備えたコンセント１と、コンセントカバー４と嵌合する受け部６を備えるソケットとを備え、コンセントカバー４の内面は、先端側に向かって内径が大きくなるテーパ形状を備え、ソケットの受け部６の外周面は、先端側に向かって外径が小さくなるテーパ形状を備えることを特徴とする。  【選択図】図１
0003205339.tif 000002
【実用新案登録請求の範囲】
【請求項１】
雄端子の周囲を覆うコンセントカバーを備えたコンセントと、前記コンセントカバーと嵌合する受け部を備えるソケットとを備え、前記コンセントカバーの内面は、先端側に向かって内径が大きくなるテーパ形状を備え、前記ソケットの受け部の外周面は、先端側に向かって外径が小さくなるテーパ形状を備えることを特徴とするコンセントの接続構造。  
【考案の詳細な説明】
【技術分野】
【０００１】
本考案は、コンセントの接続構造に関するものである。
【背景技術】
【０００２】
従来、防塵カバーを備えるコンセントの接続構造として、例えば、特許文献１に示されるように、コンセントの雄端子と同程度の長さのゴムカバーを、雄端子が露出しないように本体に設けたものが提案されている。
また、コンセントの抜け防止構造として、例えば、特許文献２に示されるように、
内部にネジ部を備えた円筒により、受け口用ソケットと差し込み用ソケットの両者を締め付けるようにしたネジ込み連結構造としたものが提案されている。
【先行技術文献】
【特許文献】
【０００３】
【特許文献１】実用新案登録第３００７７６５号公報
【特許文献２】実開昭５０−１０１８８８号公報
【考案の概要】
【考案が解決しようとする課題】
【０００４】
しかしながら、特許文献１の構成は、コンセントの抜け防止について示されておらず、また、特許文献２の構成は、ねじ込み連結により、強固な抜け防止構造となっており、防塵効果も期待できるが、ねじ込み構造となるため作業が煩雑になるという問題点を有していた。本考案は、このような問題点を解消するためになされたものである。
【課題を解決するための手段】
【０００５】
本考案のコンセント接続構造は、雄端子の周囲を覆うコンセントカバーを備えたコンセントと、前記コンセントカバーと嵌合する受け部を備えるソケットとを備え、前記コンセントカバーの内面は、先端側に向かって内径が大きくなるテーパ形状を備え、前記ソケットの受け部の外周面は、先端側に向かって外径が小さくなるテーパ形状を備えることを特徴とする。
【考案の効果】
【０００６】
本考案によれば、接続作業を簡略し、ワンタッチで、差し込み、引き抜きを可能した防塵、抜け防止構造とすることができる。
【図面の簡単な説明】
【０００７】
【図１】本考案に係るコンセントの接続構造の一実施例を示す図である。
【図２】図１のコンセント部分における断面図である。
【図３】本考案に係るコンセントの接続構造の他の実施例を示す図である。
【考案を実施するための形態】
【０００８】
以下、本考案の実施の形態について、図１〜図２に基づいて説明する。
コードの端末に接続されたコンセント（プラグ）１は絶縁性樹脂等で成形されたコンセント本体２を備えており、このコンセント本体２には２本の雄端子３がインサート成形で取り付けてある。これらの雄端子３のコンセント本体２に埋設された基端部はコードの２本の導線（図示せず）に接続しており、雄端子３の先半分はコンセント本体２の前端面より前方に突出している。コンセントカバー４は、円筒状で、雄端子の先半分を覆うようにコンセント本体２に一体的に設けられている。
壁などに設けられるプレート５には、ソケットを構成する円筒状の受け部６が、一体的に設けられている。コンセント１の差し込み時、円筒状のコンセントカバー４の内周面が円筒状の受け部６の外周面に嵌合する。  ここで、コンセントカバー４の内面は、その内径が、先端側に向かって徐々に大きくなるように、すなわち、断面がテーパ状となるように形成されている。  一方、コンセントカバー４の内面が嵌合する円筒状の受け部６の外周面は、先端側に向かって外径が徐々に小さくなるように、すなわち、断面がテーパ状となるように形成されている。
コンセント１をソケットに差し込んだ際、コンセントカバーの内周面と円筒状の受け部６の外周面とが接触し、摩擦により係止されると共にコンセント１とソケットの隙間を外部から遮断する。
上記の実施例では、受け部６がプレート５から突出する構造としているが、図３に示すようにプレート５に凹部を設け、凹部内に受け部６を設けるように構成しても良い。
上記の実施例では、コンセントカバー４を円筒状としたが、これに限らず、例えば四角柱形状、四角錐形状とし、受け部６もそれらに嵌合する形状としても良い。
【符号の説明】
【０００９】
１    コンセント
２    コンセント本体
３    雄端子
４    コンセントカバー
５    プレート
６    円筒状受け部
【図１】
0003205339.tif 000003
【図２】
0003205339.tif 000004
【図３】
0003205339.tif 000005
(57)【要約】      （修正有）【課題】自動車のフロントガラス内側を清掃する際に隙間の作業がしやすく、手にはめて使用する際にも手から外れにくい清掃用具を提供する。【解決手段】清掃用ミトン１の、表面および裏面のそれぞれの指先位置に、押圧部２を内蔵する。また、押圧部２を略三角形のフェルトとすることで、作業性が一段と向上する。【選択図】図３
0003205384.tif 000002
【実用新案登録請求の範囲】
【請求項１】
表面および裏面のそれぞれの指先位置に押圧部を内蔵したことを特徴とする清掃用ミトン
【請求項２】
請求項１に記載の押圧部が略三角形でフェルトであることを特徴とする請求項１に記載の清掃用ミトン
【考案の詳細な説明】
【技術分野】
【０００１】
この考案は、主に自動車のフロントガラス内側を清掃するための清掃用具に関するものである。
【背景技術】
【０００２】
従来、車内を清掃するモップは、特許文献１等により公知であり、清掃時に適宜手にはめて使用することが行われている。
【特許文献１】実用新案登録第３０５３５９４号
【考案の開示】
【考案が解決しようとする課題】
【０００３】
特許文献１に記載のモップでは、封筒型の外形をしているため隙間の作業がしづらく、また手から外れやすいものであった。
【０００４】
この考案は、上記のような従来技術に存在する問題点に着目してなされたものである。その目的とするところは、自動車のフロントガラス内側を清掃する際に隙間の作業がしやすく、手にはめて使用する際にも手から外れにくい清掃用具を提供することにある。
【課題を解決するための手段】
【０００５】
上記の目的を達成するために、本考案の清掃用ミトンは、表面および裏面のそれぞれの指先位置に押圧部を内蔵した。
【０００６】
また、手を差し入れた際のミトンの手首位置に、ゴム帯を施した。
【考案の効果】
【０００７】
本考案の清掃用ミトンは、表面および裏面のそれぞれの指先位置に押圧部を内蔵した。このため、自動車のフロントガラス内側を清掃する際に隙間の作業がしやすい。
また、手を差し入れた際のミトンの手首位置に、ゴム帯を施した。このため、手にはめて使用する際にも手から外れにくい。
【０００８】
さらに押圧部を略三角形のフェルトとすることで、隙間における作業性を一層改善できる。
【考案を実施するための最良の形態】
【０００９】
以下にこの考案を具体化した一実施形態に基づいて詳細に説明する。
【実施例１】
【００１０】
図１および図２に示される本考案の清掃用ミトンは、表面と裏面の２層で構成されており、中に手を差し入れて使用する。ミトンの外形は先端部が三角形とすることが好適である。
手首の当たる位置には、緊結用のゴム帯が縫合されている。なお表面と裏面、右側面と左側面はそれぞれ対称であるので、他方の図面を省略する。
【００１１】
さらに布製の表面と裏面の各層は、図３および図４において破線で示す押圧部を内蔵するためにそれぞれ袋構造をしている。
そして押圧部が指先の位置になる様、表層・裏層それぞれの袋内に縫合もしくは接着剤を用いて固定されている。
【００１２】
押圧部は、布・紙・ゴム・スポンジ等を適当な形状に成形して使用することができるが、フェルトを使用するのが最も好適である。また押圧部の形状は、ミトンの外形に合わせてることが好適で、指先の力を効率よく伝えるため三角形とすることが最も好適である。
【００１３】
上記実施例は、本考案の一例を表すのものであるが、以下のように適宜変更して本考案を実施することもできる。
・ミトンの材質をマイクロファイバー布、メッシュ素材、パイル素材、不織布素材、樹脂フィルムに適宜変更すること。
・ミトンの形状を、親指が分離した形状に変更すること、または指を拘束するための縫合加工を追加すること。
・ゴム帯に固定用紐を付加すること、もしくはゴム紐に代えて固定用紐を使用すること。
・押圧部を指先が直接入る形状に変更し、これを表面と裏面の中間に設置固定すること。
【産業上の利用可能性】
【００１４】
自動車のフロントガラス内側を清掃する際に隙間の作業がしやすく、手にはめて使用する際にも手から外れにくい。
【図面の簡単な説明】
【００１５】
【図１】実施例１の正面図
【図２】実施例１の側面図
【図３】押圧部の位置を示す実施例１の正面図
【図４】押圧部の位置を示す実施例１の側面図
【図５】実施例１の使用態様を示す参考図
【符号の説明】
【００１６】
１      清掃用ミトン
２      押圧部
３      ゴム帯
【図１】
0003205384.tif 000003
【図２】
0003205384.tif 000004
【図３】
0003205384.tif 000005
【図４】
0003205384.tif 000006
【図５】
0003205384.tif 000007
(57)【要約】      （修正有）【課題】バンジョー等の太鼓胴を持つ撥弦楽器、又は小太鼓等打楽器の振動膜加圧機構を提供する。【解決手段】バンジョー等の太鼓胴を持つ撥弦楽器、又は小太鼓等打楽器胴体に、振動膜外周エッジを固定する手段として振動膜固定リング４を設け、この振動膜固定枠４を太鼓胴１の構造体の底部より振動膜固定枠用ボルト７によって振動膜外周エッジ８を保持することにより、太鼓胴１内部に設けた振動膜２に張力を加える加圧機構を機能させる、振動膜加圧機構により大幅に金属部品数を減じ，より軽量化した楽器製作を可能とする、太鼓胴内振動膜加圧機構を提供するものである。また、外観のデザインの自由度向上を提供する。【選択図】図１
0003205399.tif 000002
【実用新案登録請求の範囲】
【請求項１】
打楽器又は太鼓胴を持つ弦楽器であって、
胴、振動膜、振動膜固定リング及び振動膜加圧機構を有し、
前記振動膜固定リングは前記胴の上部に配置されたリング状の部材であって、その内    側の下部に切り欠きを有し、
前記振動膜は、端部を有し、該端部が前記胴の上端と前記振動膜固定リングの前記切り  欠きからなる凹所に受け入れられて固定されており、
前記振動膜加圧機構は前記胴の内側に配置された加圧リングおよびボルトからなり、    前記加圧リングが下方から前記ボルトによってねじ上げられる機構を有する
ことを特徴とする打楽器又は弦楽器。
【考案の詳細な説明】
【技術分野】
【０００１】
本考案は，バンジョー等の太鼓胴を持つ撥弦楽器、又は小太鼓等打楽器の振動膜固定と胴体内部に設ける加圧機構であり、振動膜固定リングにより固定された振動膜を下部から加圧リングをボルトをねじ上げる事で押し上げ，演奏可能な張力を振動膜に加える加圧構造に関するものである。
【背景技術】
【０００２】
従来普及しているバンジョー等の太鼓胴を持つ撥弦楽器、又は小太鼓等打楽器では，弦の音を拡大させるための振動膜を外部加圧リングにより，振動膜の枠部分を下に押し下げて，胴体により固定された振動膜に張力を加える方法が採用されており，この外部加圧リングを１０本から２４本の鈎付きねじで引き締める力を加えて振動膜に張力を加えるための機構は，金属部品を多用し，全体の重量を増加させ，演奏者に負担を与え演奏そのものを困難にする要因であった。また、一様に円筒胴体外部に締め付け金具を設置するために、その外観形状は画一的なものであった。
【考案の概要】
【考案が解決しようとする課題】
【０００３】
解決しようとする課題は，バンジョー等の太鼓胴を持つ撥弦楽器、又は小太鼓等打楽器の重量を減じ，バンジョー等の太鼓胴を持つ撥弦楽器、又は小太鼓等打楽器の演奏をより容易とすることを課題の１とする。また、一様に締め付け金具を円筒胴体外部に設置するために、その外観形状は画一的なものになり、デザイン性を向上させることが困難であった事を課題の２とする。
【課題を解決するための手段】
【０００４】
バンジョー等の太鼓胴を持つ撥弦楽器、又は小太鼓等打楽器の胴体外部に振動膜締め付け金具を設置せずに、バンジョー等の太鼓胴を持つ撥弦楽器、又は小太鼓等打楽器の胴体に装着する振動膜固定リングにより固定された振動膜を、胴体内部に設けた加圧リングを複数個のボルトにより下部から上部に均等に押し上げることで，演奏に必要な張力を保持するまで加圧することを主要な手段とする。
【考案の効果】
【０００５】
本考案では，金属部品を多用するバンジョー等の太鼓胴を持つ撥弦楽器、又は小太鼓等打楽器の金属部品を大幅に減ずる事が可能となり，より軽く保持しやすいバンジョー等の太鼓胴を持つ撥弦楽器、又は小太鼓等打楽器を提供することを考案の効果の１とし、且つ外観デザインに自由度を与えることを効果の２とする。
【図面の簡単な説明】
【０００６】
【図１】バンジョー等の太鼓胴を持つ撥弦楽器、又は小太鼓等打楽器振動膜加圧機構の断面図である。
【図２】バンジョー等の太鼓胴を持つ撥弦楽器、又は小太鼓等打楽器振動膜加圧機構の内部構造斜視図である。
【考案を実施するための形態】
【０００７】
以下、本考案を実施するための形態について説明する。
太鼓胴（１）に配した振動膜固定リング（４）を、太鼓胴（１）の構造体の底部より振動膜固定枠用ボルト（７）で固定して、振動膜外周エッジ（８）を押さえる。
振動膜（２）の下部に加圧リング（３）を設ける。
加圧リング（２）の下部に設けた加圧リング用ボルト保持凸部（５）に複数個設置した加圧リング用ボルト（６）により、加圧リング用ボルト保持凸部（５）からねじ上げ、加圧リング（２）を押し上げる。加圧リング（２）により、振動膜固定枠（４）によって固定された振動膜（２）が加圧され、演奏可能な張力を、振動膜（２）に与える。
また、この振動膜加圧構造をバンジョー等の太鼓胴を持つ撥弦楽器、又は小太鼓等打楽器胴体（１）の内部に設置することにより、外部構造のデザイン性に自由度を与える事が可能となり様々な外観を持つバンジョー等の太鼓胴を持つ撥弦楽器、又は小太鼓等打楽器の製作を可能とする。
【符号の説明】
【０００８】
１  バンジョー等の太鼓胴を持つ撥弦楽器、又は小太鼓等打楽器胴体              
２  振動膜
３  加圧リング         
４  振動膜固定リング   
５  ボルト保持凸部           
６  加圧リング用ボルト
７  振動膜固定枠用ボルト
８  振動膜外周エッジ
【図１】
0003205399.tif 000003
【図２】
0003205399.tif 000004